(57)【要約】溶解およびサイトメトリーを、統合されたシステムに組み合わせるミクロサイトメーターであって、このシステムは、血液の溶解および白血球の計数を、単一のデバイスにおいて達成する。このデバイスは、白血球を薄いリボンに集中させ、このリボンが次いで、分析のために単一のストリームに集中される。本発明により、化学反応および粒子集中の機能を組み合わせる、マイクロサイトメトリー構造体が提供される。本発明の１つの実施形態は、使い捨てプラスチックカード上に配置され得る、マイクロサイトメーターである。
2004528556.tif 000002
【特許請求の範囲】
【請求項１】
サンプル流体中に分散した粒子を分析するための微小流体デバイスであって、第一の微小流体構造体を備え、該第一の微小流体構造体は、第一の入口、第二の入口、第一の反応器チャネル、該反応器チャネルの下流に位置する第三の入口、および検出領域を有し、その結果、該サンプルが、該第一の入口を通って、該反応器チャネルへと入り、そして第一の試薬流体が、該第二の入口を通って、該反応器チャネルへと入り、その結果、該サンプル流体は、少なくとも１つの面で該第一の試薬流体と接触しており、そして該サンプル流体の少なくとも１つの寸法が、流体力学的にまたは構造的に集中されることによって減少し、該サンプル流体が、該反応器チャネル中で、該試薬流体の隣の薄いリボン中を流れ、そして第二の流体が、該第三の入口を通って該反応器チャネルに入り、その結果、該サンプル流体のリボンが、本質的に一列の粒子を含む薄いコアにさらに集中され、そして該コアを、該検出領域に通して流す、微小流体デバイス。
【発明の詳細な説明】
【技術分野】
【０００１】
（関連出願の引用）
本願は、２００１年４月３日に出願された、米国仮特許出願番号６０／２８１，１１４（この出願は、本明細書中に参考として援用される）の利益を主張する。
【０００２】
（１．発明の分野）
本発明は、一般に、分析試験を実施するための微小流体デバイスに関し、そして具体的には、化学反応および粒子集中の機能を単一の構造体に組み合わせる、マイクロサイトメーターに関する。
【背景技術】
【０００３】
（２．関連技術の説明）
微小流体デバイスは、最近、分析試験を実施するために一般的になっている。エレクトロニクスを小型化するために半導体産業によって開発された道具を使用して、安価に製造される手段であり得る複雑な流体システムを製造することが可能になった。医学分野に関する情報の獲得のための、種々の分析技術を実施するためのシステムが、開発されている。
【０００４】
微小流体デバイスは、積層材料から製造されて流体が流れる微小規模の空隙またはチャネルを形成する、チャネルおよび構造を各層が有する、多層積層構造体に構成され得る。微小規模のチャネルは、一般に、流体通路として規定され、これは、５００μｍ未満、そして代表的には約０．１μｍと約５００μｍとの間の、少なくとも１つの内部断面寸法を有する。これらのチャネルを通る流体の制御およびポンピングは、積層体に押し込まれる外部加圧流体、または積層体の内部に位置する構造体のいずれかによって、影響を受ける。
【０００５】
米国特許第５，７１６，８５２号は、拡散の原理を使用して、フローセル中の小さな粒子の存在および濃度を分析するための方法を教示する。この特許（その開示は本明細書中に参考として援用される）は、層流チャネルを使用して、サンプルストリーム中の分析物粒子の存在を検出するための、チャネルセルシステムを開示する。この層流チャネルは、指示薬ストリームおよびサンプルストリームを提供する、少なくとも２つの入口手段を有し、ここで、この層流チャネルは、ストリームの層流を可能にするために十分に小さな深さ、および指示薬ストリーム中に分析物の粒子が拡散して検出領域を形成することを可能にするために十分な長さを有し、そしてこのチャネルの外に、単一の混合ストリームを形成するための１つの出口を有する。このデバイス（これは、Ｔセンサにおいて公知である）は、指示薬ストリームの変化を検出するための、外部検出手段を含み得る。この検出手段は、当該分野において公知の任意の手段（光波分光学または蛍光の吸収分光学のような光学的手段を含む）によって、提供され得る。
【０００６】
米国特許第５，９３２，１００号（この特許もまた、本明細書中に参考として援用される）は、拡散の原理を使用して、微小流体チャネル内の分析物粒子を分析するための、別の方法を教示する。サンプルストリーム中に懸濁した粒子の混合物が、構造体（これは、「Ｈ」字型のマイクロチャネルを備える）の１つの上側のアームから、抽出チャネルに入る。抽出ストリーム（希釈ストリーム）は、抽出チャネルの同じ側の下側のアームから入り、そしてこの微小流体抽出チャネルの大きさに起因して、この流れは層流であり、そしてこれらの流れは混合しない。サンプルストリームは、副生成物ストリームとして、上側のアームから抽出チャネルの端部において出、一方で抽出ストリームは、生成物ストリームとして、下側のアームから出る。これらのストリームは、抽出チャネル内で平行な層流であるが、より大きな拡散計数を有する粒子（アルブミン、糖、および小さなイオンのような、より小さな粒子）は、抽出ストリームに拡散するための時間を有し、一方でより大きな粒子（血球）は、サンプルストリーム中に残る。出てくる抽出ストリーム（ここで、生成物ストリームと称される）における粒子は、より大きな粒子からの妨害なしに分析され得る。この微小流体構造体（通常、「Ｈフィルタ」として公知である）は、所望の粒子を、これらの粒子を含有するサンプルストリームから抽出するために使用され得る。
【０００７】
フローサイトメトリーは、微視的な生物学的粒子の光学特性の、感受性の、用途が広いプローブであり、血液学、免疫学、遺伝学、食品科学、薬理学、微生物学、寄生生物学および腫瘍学が挙げられる広範な用途を有する。光学フローサイトメーターは、光散乱および蛍光を使用して、粒子の物理学的特性および化学的特性を決定する。測定のために、粒子は、代表的に、シース流体内への流体力学的集中によって、一列に配列され、そして流れ軸に直交して伝播する光ビームによって、問い合わせられる。散乱光が、光検出器によって、ほぼ順方向で測定される。さらに、第二の光検出器が、しばしば、順方向散乱に対して９０°に配置されて、大きな角度の散乱および蛍光を収集する。
【０００８】
既存の市販のサイトメーターは、熟練した操作者を必要とする、大きく、そして複雑な計器である。フローサイトメトリーのアクセス可能性を増加させるために、微小加工されたフローセルおよび小型のサイトメーターが望ましい。微小加工されたフローチャネルにおいて、このチャネル内への照射光を得ること、およびチャネルからの順方向散乱光と９０°の散乱光との両方を得ることが、難題である。微小加工されたフローサイトメーターのフローチャネルが、いくつか報告されている。Ｍｉｙａｋｅら［Ｐｒｏｃｅｅｄｉｎｇｓ  ｏｆ  ｔｈｅ  ＩＥＥＥ  Ｍｉｃｒｏ  Ｅｌｅｃｔｒｏ  Ｍｅｃｈａｎｉｃａｌ  Ｓｙｓｔｅｍｓ  Ｗｏｒｋｓｈｏｐ，２６５−２７０頁，Ｎａｒａ，Ｊａｐａｎ，１９９１年１月］は、積み重ねられた５つのプレートから作製された、微細加工されたシース流チャネルを記載する。シース内のサンプルコアを有する流れを作製するために、３つの金属プレートが使用され、そしてスタックの頂部および底部のガラスプレートが、頂部を通る照射および底部を通る順方向散乱光の収集のための、フローチャネルへの光学的アクセスを提供する。９０°の散乱は、収集され得ない。Ｓｏｂｅｋら［Ｐｒｏｃｅｅｄｉｎｇｓ  ｏｆ  ｔｈｅ  ＩＥＥＥ  Ｍｉｃｒｏ  Ｅｌｅｃｔｒｏ  Ｍｅｃｈａｎｉｃａｌ  Ｓｙｓｔｅｍｓ  Ｗｏｒｋｓｈｏｐ，Ｆｏｒｔ  Ｌａｕｄｅｒｄａｌｅ，Ｆｌａ．，１９９３年２月］は、シリコンで微小加工された、４層の六角形のシース流チャネルを記載する。このチャネルは、２つのシリコンウエハの間に形成される。このチャネルに交差する、統合された光学導波管が、レーザー光を順方向でチャネルに結合させ、そしてチャネルから出すために使用される。この交差において、チャネルの頂部壁および底部壁は、９０°の光の収集のための窒化ケイ素／二酸化ケイ素の窓である。各窓は、シリコンウエハ上の酸化物層を成長させ、この酸化物層を第二のシリコンウエハに結合させ、窓の領域において酸化物の両側のシリコンをエッチングで除去し、そして窒化物層を堆積させることによって、作製される。Ｓｏｂｅｋら［Ｐｒｏｃｅｅｄｉｎｇｓ  ｏｆ  ｔｈｅ  Ｓｏｌｉｄ−Ｓｔａｔｅ  Ｓｅｎｓｏｒｓ  ａｎｄ  Ａｃｔｕａｔｏｒｓ  Ｗｏｒｋｓｈｏｐ，２１９−２２４頁，Ｈｉｌｔｏｎ  Ｈｅａｄ，Ｓ．Ｃ．，１９９４年６月］は、２つの溶融シリカのウエハの間に製造されたシース流チャネルを記載する。光をチャネル内に結合させ、そして順方向で出すために、光ファイバーが、これらのウエハの間に、流れ軸に直行して挟まれる。蛍光が、上側の透明ウエハを通して収集される。
【０００９】
米国特許第５，７２６，７５１号は、シリコンマイクロチャネルの光学フローサイトメーターを記載する。このサイトメーターは、２つの構成要素を使用する：フローサイトメーター光学ヘッドおよび使い捨てフローモジュール。このフローモジュールは、シリコンウエハに微細加工されたＶ字型溝のフローチャネルを利用する。この光学ヘッドは、照射ビームとして提供するためのレーザー、および大小の角度の光検出器を備える。
【００１０】
米国特許第５，５６１，５１７号は、流れ型粒子画像分析のためのデバイスを記載し、ここで、分析されるべき任意の所定のサンプルに対して、パルス光源の発光のためのタイミング信号が、全ての場の画像読取り期間において、発生する。
【００１１】
米国特許第５，７２８，５８２号は、粒子検出ユニットによって得られた粒子と、粒子画像撮像ユニットによって得られた粒子画像との間の相関を容易にする、ある型の粒子画像分析の方法および装置を記載する。
【００１２】
記載されるデバイスおよび方法は、粒子画像分析のために使用され得るが、単純な使い捨てカートリッジを使用して、分析が迅速かつ容易に実施され得るサイトメーターは、存在しない。
【発明の開示】
【発明が解決しようとする課題】
【００１３】
（発明の要旨）
従って、本発明の課題は、化学反応および粒子集中の機能を組み合わせる、マイクロサイトメトリー構造体を提供することである。
【００１４】
本発明のさらなる課題は、使い捨てプラスチックカード上に配置され得る、マイクロサイトメーターを提供することである。
【００１５】
本発明のなおさらなる課題は、複数の集中構造体を使用して、一列の細胞からなるコアを作製する、マイクロサイトメーターを提供することである。
【００１６】
本発明のこれらおよび他の課題は、以下の説明および図面から、より容易に明らかである。
【課題を解決するための手段】
【００１７】
（好ましい実施形態の詳細な説明）
ここで図１を参照すると、マイクロサイトメーターカートリッジ（一般に、１０で示される）が示されている。カートリッジ１０は、全血入口１２を備え、この入口は、チャネル１４に結合されている。溶解入口１６が、チャネル１８に結合される。チャネル１４および１８は、溶解注射器２０において一緒になる。溶解注射器２０の排出口が、溶解チャネル２２に接続される。シース入口２４が、チャネル２６に結合され、これは、集中チャンバ２８において、溶解チャネル２２と合流する。チャンバ２８の排出口は、サイトメーターチャネル３０に導き、このチャネルで、細胞が問い合わせられる。チャネル３０は、出口チャネル３２に結合し、このチャネルが、廃液チャンバ３４に導く。
【００１８】
カートリッジ１０の作動を、ここで説明する。全血のサンプル５０が、入口１２に装填され、ここで、このサンプルは、チャネル１４を通って移動する。同時に、溶解試薬５２（例えば、通常の水）が、入口１６に装填され、ここで、この試薬は、チャネル１８を通って移動する。溶解注射器２０において、全血サンプル５０は、図２および３に見られ得るように、溶解試薬５２に囲まれ、そして薄いリボン５４に集中する。溶解試薬５２が、２つの高圧ストリームを、サンプル５０（これは、より低い圧力で流れている）の上下に形成するので、リボン５４が形成される。このプロセスの間に、サンプル５０中の赤血球が、破裂し、白血球を溶解チャネル２２内へと流す。リボン５４はまた、注射器２０を離れる際に、構造的に集中する。なぜなら、チャネル２２への入口５６が、注射器２０を通る通路より狭いからである。
【００１９】
白血球を含むリボン５４は、チャネル２２を通って、集中チャンバ２８へと移動する。集中チャンバ２８において、シース流体（これは、リン酸緩衝化生理食塩水のような溶液であり得、入口２４に装填されている）が、リボン５４を集中させ、その結果、一列の白血球のストリームが、チャンバ２８を出てサイトメーターチャネル３０に入る。シース流体が、リボン５４のいずれかの側で、より高圧で流れるので、リボン５４は、一列の白血球のストリームが作製されるまで、狭小化する。
【００２０】
白血球のストリームがチャネル３０を通って流れるにつれて、このストリームは窓６０を通過し、ここで、図４に見られ得るように、レーザー源６２が焦点を合わせられる。光散乱検出器６４は、蛍光検出器６６と同様に、粒子を計数し、そして分類する。検出器６４および６６によって蓄積されたデータは、分析のために保存される。次いで、細胞は、チャネル３２を通過して、廃液チャンバ３４へと入る。
【００２１】
本発明を、その好ましい実施形態の観点で示し、そして説明したが、本発明は、この特定の実施形態に限定されないこと、ならびに添付の特許請求の範囲に規定されるような本発明の真の意図および範囲から逸脱することなく、変化および改変がなされ得ることが、理解されるべきである。
【図面の簡単な説明】
【００２２】
【図１】図１は、本発明によるマイクロサイトメーターの平面図である。
【図２】図２は、本発明の溶解注射器の側面図である。
【図３】図３は、図２の注射器の頂面図である。
【図４】図４は、本発明のマイクロサイトメーターの検出器部分の平面図であり、これはまた、外部検出装置を備える。
【国際公開パンフレット】
2004528556.tif 000003
2004528556.tif 000004
2004528556.tif 000005
2004528556.tif 000006
2004528556.tif 000007
2004528556.tif 000008
2004528556.tif 000009
2004528556.tif 000010
2004528556.tif 000011
2004528556.tif 000012
2004528556.tif 000013
2004528556.tif 000014
【国際公開パンフレット（コレクトバージョン）】
2004528556.tif 000015
【手続補正書】
【提出日】平成14年10月24日(2002.10.24)
【手続補正１】
【補正対象書類名】特許請求の範囲
【補正対象項目名】全文
【補正方法】変更
【補正の内容】
【特許請求の範囲】
【請求項１】
サンプル流体中に分散した粒子を分析するための微小流体デバイスであって、第一の微小流体構造体を備え、該第一の微小流体構造体は、第一の入口、第二の入口、第一の反応器チャネル、該反応器チャネルの下流に位置する第三の入口、および検出領域を有し、その結果、該サンプルが、該第一の入口を通って、該反応器チャネルへと入り、そして第一の試薬流体が、該第二の入口を通って、該反応器チャネルへと入り、その結果、該サンプル流体は、少なくとも１つの面で該第一の試薬流体と接触しており、そして該サンプル流体の少なくとも１つの寸法が、流体力学的にまたは構造的に集中されることによって減少し、該サンプル流体が、該反応器チャネル中で、該試薬流体の隣の薄いリボン中を流れ、そして第二の流体が、該第三の入口を通って該反応器チャネルに入り、その結果、該サンプル流体のリボンが、本質的に一列の粒子を含む薄いコアにさらに集中され、そして該コアを、該検出領域に通して流す、微小流体デバイス。
【請求項２】
赤血球および白血球を含む全血サンプル内に分散した白血球を分析するための微小流体デバイスであって、以下：
全血サンプルを受容するための第一の入口チャネル；
溶解試薬を受容するための第二の入口チャネル；
第一の集中手段であって、該第一の集中手段は、該第二の入口チャネルからの該試薬の層の間で、該全血サンプルを圧縮することによって、白血球の薄いリボンサンプルを作製するために、該第一の入口チャネルおよび第二の入口チャネルに連結される、第一の集中手段；
第二の集中手段；
第一の出口チャネルであって、該第一の出口チャネルは、該薄いリボンサンプルを該第二の集中手段に輸送するために、該第一の集中手段に連結される、第一の出口チャネル；
第三の入口チャネルであって、該第三の入口チャネルは、該第一の出口チャネルにシース流体を導入するために、該第二の集中手段に連結され、該シース流体は、該第二の集中手段において、該薄いリボンサンプルを実質的に一列の白血球のストリームへと変換する、第三の入口チャネル；
第二の出口チャネルであって、該第二の出口チャネルは、該一列の白血球のストリームを輸送するために、該第二の集中手段に連結される、第二の出口チャネル；および
手段であって、該手段は、該一列の白血球のストリームを分析するために、該第二の出口チャネルに連結される、手段、
を備える、微小流体デバイス。
【請求項３】
前記溶解試薬が、通常の水を含む、請求項２に記載のデバイス。
【請求項４】
前記溶解試薬が、前記サンプルの上下に高圧ストリームを形成して、薄いリボンを形成する、請求項２に記載のデバイス。
【請求項５】
前記シース流体が、リン酸緩衝化生理食塩水を含む、請求項２に記載のデバイス。
【請求項６】
前記分析するための手段が、細胞を照射するためのレーザー源および検出器を備える、請求項２に記載のデバイス。
【請求項７】
前記検出器が、光散乱検出器を備える、請求項６に記載のデバイス。
【請求項８】
前記検出器が、蛍光検出器を備える、請求項６に記載のデバイス。
【請求項９】
前記溶解試薬が、前記第一の集中手段において、前記赤血球を破裂させる、請求項２に記載のデバイス。
【請求項１０】
マイクロサイトメーターであって、以下：
分析されるべき粒子を含むサンプル流体；
該サンプル流体を受容するための第一の入口；
第一の集中手段であって、該第一の集中手段は、該粒子を含む薄いリボンサンプルを作製するために、該第一の入口に連結される、第一の集中手段；
第二の集中手段であって、該第二の集中手段は、該薄いリボンサンプルを、実質的に一列の該粒子を含むストリームへと変換するために、該第一の集中手段に連結される、第二の集中手段；および
検出手段であって、該検出手段は、該一列の該粒子を含むストリームを分析するために、該第二の集中手段に連結される、検出手段、
を備える、マイクロサイトメーター。
【請求項１１】
前記検出手段に連結された廃液チャンバをさらに備える、請求項１０に記載のマイクロサイトメーター。
【請求項１２】
前記サンプル流体が、全血を含む、請求項１０に記載のマイクロサイトメーター。
【請求項１３】
前記粒子が、白血球である、請求項１２に記載のマイクロサイトメーター。
【請求項１４】
前記サンプル流体を囲む試薬を提供し、該サンプル流体に薄いリボンサンプルを形成させるために、前記第一の集中手段に連結される、第二の入口をさらに備える、請求項１０に記載のマイクロサイトメーター。
【請求項１５】
前記薄いリボンサンプルを囲むシース流体を提供し、実質的に一列の粒子を含むストリームを形成するために、前記第二の集中手段に連結される、第三の入口をさらに備える、請求項１０に記載のマイクロサイトメーター。
【請求項１６】
前記検出手段が、レーザー源および前記粒子を分析するための検出器を備える、請求項１０に記載のマイクロサイトメーター。
【請求項１７】
前記検出器が、光散乱検出器を備える、請求項１６に記載のマイクロサイトメーター。
【請求項１８】
前記検出器が、蛍光検出器を備える、請求項１７に記載のマイクロサイトメーター。
【国際調査報告】
2004528556.tif 000016
2004528556.tif 000017
2004528556.tif 000018